【手続補正書】
【提出日】平成24年9月18日(2012.9.18)
【手続補正１】
【補正対象書類名】特許請求の範囲
【補正対象項目名】全文
【補正方法】変更
【補正の内容】
【特許請求の範囲】
【請求項１】
アンテナ素子を備えたアンテナユニットが接続されるバスユニットであって、
送信信号を伝送する第１の線路と、
前記アンテナユニットと接続するための接続コネクタと、
前記接続コネクタに前記アンテナユニットが接続された場合、前記第１の線路の上流からの送信信号を前記アンテナユニットへ供給すると共に、前記アンテナユニットで分配された分配信号を送信信号として前記第１の線路の下流へ出力するように接続を切り替える第１の切替部と
を備えるバスユニットと、
前記バスユニットからの送信信号を前記アンテナ素子から空間へ向けて送信するアンテナユニットであって、
前記バスユニットからの送信信号を二つに分配し、一方の信号を前記アンテナ素子から空間へ向けて送信し、他方の信号を前記分配信号として前記バスユニットへ出力する分配回路を備えるアンテナユニットと
を具備することを特徴とするアレーアンテナ。
【請求項２】
前記バスユニットは、
第１の受信信号を伝送する第２の線路と、
前記接続コネクタに前記アンテナユニットが接続された場合、前記第２の線路の上流からの第１の受信信号を前記アンテナユニットへ供給すると共に、前記アンテナユニットで合成された合成信号を第１の受信信号として前記第２の回路の下流へ出力するように接続を切り替える第２の切替部と
をさらに備え、
前記アンテナユニットは、前記アンテナ素子により第２の受信信号を受信し、
前記第２の受信信号と前記バスユニットからの第１の受信信号とを合成し、前記合成信号として前記バスユニットへ出力する合成回路をさらに備えることを特徴とする請求項１記載のアレーアンテナ。
【請求項３】
前記バスユニットは、
制御信号を伝送する第３の線路と、
前記接続コネクタに前記アンテナユニットが接続された場合、前記第３の線路と前記アンテナユニットとを接続させ、前記アンテナユニットへ前記制御信号を出力する第１の接続部と、
電源を供給する第４の線路と、
前記接続コネクタに前記アンテナユニットが接続された場合、前記第４の線路と前記アンテナユニットとを接続させ、前記アンテナユニットへ前記電源を供給する第２の接続部と
をさらに備え、
前記アンテナユニットは、
前記分配回路からの送信信号の移相を、前記第１の接続部からの制御信号に基づいて制御して前記アンテナ素子へ出力する移相器であって、前記第２の接続部からの電源により動作する移相器をさらに備えることを特徴とする請求項１記載のアレーアンテナ。
【請求項４】
前記バスユニットは、
制御信号を伝送する第３の線路と、
前記接続コネクタに前記アンテナユニットが接続された場合、前記第３の線路と前記アンテナユニットとを接続させ、前記アンテナユニットへ前記制御信号を出力する第１の接続部と、
電源を供給する第４の線路と、
前記接続コネクタに前記アンテナユニットが接続された場合、前記第４の線路と前記アンテナユニットとを接続させ、前記アンテナユニットへ前記電源を供給する第２の接続部と
をさらに備え、
前記アンテナユニットは、
前記分配回路からの送信信号を、前記第１の接続部からの制御信号に基づいて増幅して前記アンテナ素子へ出力する増幅器であって、前記第２の接続部からの電源により動作する増幅器をさらに備えることを特徴とする請求項１記載のアレーアンテナ。
【請求項５】
前記バスユニットは、
制御信号を伝送する第３の線路と、
前記接続コネクタに前記アンテナユニットが接続された場合、前記第３の線路と前記アンテナユニットとを接続させ、前記アンテナユニットへ前記制御信号を出力する第１の接続部と、
電源を供給する第４の線路と、
前記接続コネクタに前記アンテナユニットが接続された場合、前記第４の線路と前記アンテナユニットとを接続させ、前記アンテナユニットへ前記電源を供給する第２の接続部と
をさらに備え、
前記アンテナユニットは、
前記分配回路からの送信信号の移相を、前記第１の接続部からの移相制御信号に基づいて制御する移相器であって、前記第２の接続部からの電源により動作する移相器と、
前記移相器からの送信信号を、前記第１の接続部からの増幅制御信号に基づいて増幅して前記アンテナ素子へ出力する増幅器であって、前記第２の接続部からの電源により動作する増幅器と
をさらに備えることを特徴とする請求項１記載のアレーアンテナ。
【請求項６】
前記バスユニットは、
制御信号を伝送する第３の線路と、
前記接続コネクタに前記アンテナユニットが接続された場合、前記第３の線路と前記アンテナユニットとを接続させ、前記アンテナユニットへ前記制御信号を出力する第１の接続部と、
電源を供給する第４の線路と、
前記接続コネクタに前記アンテナユニットが接続された場合、前記第４の線路と前記アンテナユニットとを接続させ、前記アンテナユニットへ前記電源を供給する第２の接続部と
をさらに備え、
前記アンテナユニットは、
前記分配回路からの送信信号の移相を、前記第１の接続部からの第１の制御信号に基づいて制御して前記アンテナ素子へ出力する第１の移相器であって、前記第２の接続部からの電源により動作する第１の移相器と、
前記アンテナ素子からの第２の受信信号の移相を、前記第１の接続部からの第２の制御信号に基づいて制御して前記合成回路へ出力する第２の移相器であって、前記第２の接続部からの電源により動作する第２の移相器と
をさらに備えることを特徴とする請求項２記載のアレーアンテナ。
【請求項７】
前記バスユニットは、
制御信号を伝送する第３の線路と、
前記接続コネクタに前記アンテナユニットが接続された場合、前記第３の線路と前記アンテナユニットとを接続させ、前記アンテナユニットへ前記制御信号を出力する第１の接続部と、
電源を供給する第４の線路と、
前記接続コネクタに前記アンテナユニットが接続された場合、前記第４の線路と前記アンテナユニットとを接続させ、前記アンテナユニットへ前記電源を供給する第２の接続部と
をさらに備え、
前記アンテナユニットは、
前記分配回路からの送信信号を、前記第１の接続部からの第１の制御信号に基づいて増幅して前記アンテナ素子へ出力する第１の増幅器であって、前記第２の接続部からの電源により動作する第１の増幅器と、
前記アンテナ素子からの第２の受信信号を、前記第１の接続部からの第２の制御信号に基づいて増幅して前記合成回路へ出力する第２の増幅器であって、前記第２の接続部からの電源により動作する第２の増幅器と
をさらに備えることを特徴とする請求項２記載のアレーアンテナ。
【請求項８】
前記バスユニットは、
制御信号を伝送する第３の線路と、
前記接続コネクタに前記アンテナユニットが接続された場合、前記第３の線路と前記アンテナユニットとを接続させ、前記アンテナユニットへ前記制御信号を出力する第１の接続部と、
電源を供給する第４の線路と、
前記接続コネクタに前記アンテナユニットが接続された場合、前記第４の線路と前記アンテナユニットとを接続させ、前記アンテナユニットへ前記電源を供給する第２の接続部と
をさらに備え、
前記アンテナユニットは、
前記分配回路からの送信信号の移相を、前記第１の接続部からの第１の移相制御信号に基づいて制御する第１の移相器であって、前記第２の接続部からの電源により動作する第１の移相器と、
前記第１の移相器からの送信信号を、前記第１の接続部からの第１の増幅制御信号に基づいて増幅して前記アンテナ素子に出力する第１の増幅器であって、前記第２の接続部からの電源により動作する第１の増幅器と、
前記アンテナ素子からの第２の受信信号を、前記第１の接続部からの第２の増幅制御信号に基づいて増幅する第２の増幅器であって、前記第２の接続部からの電源により動作する第２の増幅器と、
前記第２の増幅器からの第２の受信信号の移相を、前記第１の接続部からの第２の移相制御信号に基づいて制御して前記合成回路へ出力する第２の移相器であって、前記第２の接続部からの電源により動作する第２の移相器と
をさらに備えることを特徴とする請求項２記載のアレーアンテナ。
【請求項９】
前記分配回路は、
前記第１の線路からの送信信号を予め設定された増幅量で増幅するアンプと、
前記アンプからの信号を予め設定された比率で分配し、前記分配信号のレベルが、前記第１の線路からの送信信号のレベルと同一となるようにする分配器と
を備えることを特徴とする請求項１記載のアレーアンテナ。
【請求項１０】
前記合成回路は、
前記アンテナ素子からの第２の受信信号をダウンコンバートする周波数変換部と、
前記周波数変換部からの第２の受信信号をデジタル変換するアナログ−デジタル変換部と、
前記アナログ−デジタル変換部からの第２の受信信号を予め設定された遅延量で遅延させる遅延部であって、前記遅延量は書き換え可能である遅延部と、
前記遅延部からの第２の受信信号と、前記第１の受信信号とを予め設定された合成方法に基づいて合成するミキサであって、前記合成方法は変更可能であるミキサと
を備えることを特徴とする請求項２記載のアレーアンテナ。
【請求項１１】
前記アンテナユニットは、
前記アンテナ素子を複数備え、
前記分配回路からの送信信号を前記複数のアンテナ素子毎に分配するアンテナ分配回路をさらに備えることを特徴とする請求項１記載のアレーアンテナ。
【請求項１２】
前記アンテナユニットは、
前記アンテナ素子を複数備え、
前記複数のアンテナ素子からの第２の受信信号を合成し、前記合成回路へ出力するアンテナ合成回路をさらに備えることを特徴とする請求項２記載のアレーアンテナ。
【請求項１３】
アンテナ素子を備えたアンテナユニットが接続されるバスユニットであって、
第１の受信信号を伝送する第１の線路と、
前記アンテナユニットと接続するための接続コネクタと、
前記接続コネクタに前記アンテナユニットが接続された場合、前記第１の線路の上流からの第１の受信信号を前記アンテナユニットへ供給すると共に、前記アンテナユニットで合成された合成信号を第１の受信信号として前記第１の線路の下流へ出力するように接続を切り替える切替部と
を備えるバスユニットと、
アンテナ素子により第２の受信信号を受信するアンテナユニットであって、
前記第２の受信信号と、前記バスユニットからの第１の受信信号とを合成し、前記合成信号として前記バスユニットへ出力する合成回路を備えるアンテナユニットと
を具備することを特徴とするアレーアンテナ。
【請求項１４】
送信信号を伝送するバスユニットと接続するための接続コネクタと、
前記接続コネクタを介して前記バスユニットから供給された送信信号を二つに分配し、一方の信号を後段へ出力し、他方の信号を分配信号として前記バスユニットへ出力する分配回路と、
前記分配回路からの送信信号を空間へ向けて送信するアンテナ素子と
を具備することを特徴とするアンテナユニット。
【請求項１５】
第１の受信信号を受信するアンテナ素子と、
第２の受信信号を伝送するバスユニットと接続するための接続コネクタと、
前記第１の受信信号と、前記接続コネクタを介して前記バスユニットから供給された第２の受信信号とを合成し、合成信号として前記バスユニットへ前記接続コネクタを介して出力する合成回路と
を具備することを特徴とするアンテナユニット。
【請求項１６】
アンテナ素子を備えたアンテナユニットと接続するための接続コネクタと、
送信信号を伝送する第１の線路と、
前記接続コネクタに前記アンテナユニットが接続された場合、前記第１の線路の上流からの送信信号を前記アンテナユニットへ供給すると共に、前記アンテナユニットからの信号を送信信号として前記第１の線路の下流へ出力するように接続を切り替える第１の切替部と
を具備することを特徴とするバスユニット。
【請求項１７】
アンテナ素子を備えたアンテナユニットと接続するための接続コネクタと、
受信信号を伝送する第１の線路と、
前記接続コネクタに前記アンテナユニットが接続された場合、前記第１の線路の上流からの受信信号を前記アンテナユニットへ供給すると共に、前記アンテナユニットからの信号を受信信号として前記第１の線路の下流へ出力するように接続を切り替える第１の切替部と
を具備することを特徴とするバスユニット。